(57)【要約】【課題】軸筒１をセラミックで構成した筆記具において、軸筒１の先端エッジ部１Ａが指に接触しない筆記具を実現した。【解決手段】軸筒１の前方に位置する前部材２に外鍔２Ａを構成する。この前部材２の外鍔２Ａを長手方向後方に向かって太くなるような傾斜面に形成し、外鍔２Ａの最頂部２Ｂを曲面に形成した。更に、前記前部材２の外鍔２Ａを軸筒１の先端より太径に構成する。【選択図】図１
2009166343.tif 000002
【特許請求の範囲】
【請求項１】
軸筒をセラミックで構成するとともに、軸筒の前方に位置する前部材に外鍔を形成し、該外鍔の最頂部を軸筒の先端より太径に構成し、更に、前記前部材の最頂部を曲面に構成したことを特徴とする筆記具。
【請求項２】
前部材の外鍔表面を長手方向後方に向かって太くなるような傾斜面に形成し、該傾斜面の最頂部を曲面に形成したことを特徴とする請求項１記載の筆記具。
【請求項３】
内軸を軸筒内に内蔵し、この内軸の前部に前部材を設けるとともに後部に中部材を設け、前記前部材と中部材により軸筒を挾持したことを特徴とする請求項１又は２記載の筆記具。
【請求項４】
軸筒をセラミックで構成するとともに、軸筒の前方に位置しかつ略円錐形に形成された先部材の最頂部を軸筒の先端より太径に構成し、更に、前記先部材の最頂部を曲面に構成したことを特徴とする筆記具。
【発明の詳細な説明】
【技術分野】
【０００１】
本発明は、軸筒をセラミックで構成した筆記具に関する。
【背景技術】
【０００２】
従来、筆記具の高級感を出すために軸筒をセラミックで構成した筆記具が知られている。
また、把持部をセラミック等の陶磁器で構成し、床に落とした時の破損を防ぐために、把持部の前方及び／又は後方に位置する軸筒に凸部を設けた筆記具が知られている。（特許文献１の段落（０００４）参照）
【特許文献１】特開２００７−２５３３６８号公報
【発明の開示】
【発明が解決しようとする課題】
【０００３】
しかし、軸筒をセラミックで構成した筆記具は、軸筒の先端エッジが露出していると、エッジが指に当たり、指が痛くなったり指に豆が出来る恐れがあった。
【０００４】
また、把持部の前方及び／又は後方に位置する軸筒に凸部を設けた筆記具は、軸筒の凸部のエッジが指に当たり、使用者に不快感を与えてしまう恐れがあった。
【０００５】
本発明は、上記課題を解消する筆記具を提供することを目的とするものである。
【課題を解決するための手段】
【０００６】
本発明は、軸筒をセラミックで構成するとともに、軸筒の前方に位置する前部材に外鍔を形成し、該外鍔の最頂部を軸筒の先端より太径に構成し、更に、前記前部材の最頂部を曲面に構成したことを第１の要旨とする。
【０００７】
また、前部材の外鍔表面を長手方向後方に向かって太くなるような傾斜面に形成し、該傾斜面の最頂部を曲面に形成したことを第２の要旨とする。
【０００８】
更に、内軸を軸筒内に内蔵し、この内軸の前部に前部材を設けるとともに後部に中部材を設け、前記前部材と中部材により軸筒を挾持したことを第３の要旨とする。
【０００９】
更にまた、軸筒をセラミックで構成するとともに、軸筒の前方に位置しかつ略円錐形に形成された先部材の最頂部を軸筒の先端より太径に構成し、更に、前記先部材の最頂部を曲面に構成したことを第４の要旨とする。
【発明の効果】
【００１０】
本発明の筆記具は、前部材の外鍔あるいは先部材の後端を軸筒の先端より太径に構成し、かつ、外鍔の表面あるいは後端最頂部を曲面に構成することにより、筆記中に指が痛くなったり豆が出来る恐れがなく、使用者が快適に筆記できる効果が奏せられるものである。
【発明を実施するための最良の形態】
【００１１】
セラミックで構成された軸筒の先端エッジが指に接触する恐れがなく、かつ、筆記中に前部材の外鍔あるいは先部材の最頂部に指が当たっても指が痛くなったり指に豆が出来る恐れがない筆記具を実現した。
【実施例１】
【００１２】
以下、図１及び図２に基づいて本発明における実施例１の筆記具をノック式シャープペンシルで説明する。また、図１の左側を前方とし、右側を後方とする。先ず、ジルコニア等のセラミックを円筒状に形成して軸筒１を構成する。また、金属製の前部材２に外鍔２Ａを構成し、この外鍔２Ａ表面を長手方向後方に向かって太くなるような傾斜面に形成するとともに、その最頂部２Ｂを軸筒１の先端より太径に構成する。更に、前部材２の最頂部２Ｂを曲面に構成する。この前部材２の筒部２Ｃを軸筒１の前部に嵌合し、軸筒１の先端エッジ部１Ａより前部材２の外鍔２Ａを外方に突出させる。更に、軸筒１内に内軸３を内蔵し、前部材２内に内軸３の前部を挿入するとともに、内軸３の前部に先金４をネジ接着して取り付ける。また、内軸３の後部に中部材５をネジ接着して取り付ける。この先金４の外鍔４Ａと中部材５の外鍔５Ａにより前部材２と軸筒１を挾持する。更に、クリップ６を設けた鞘７の前部に金輪８を固着し、この金輪８を中部材５に着脱可能に螺合する。また、金輪８の最大径は軸筒１より太径に構成する。
【００１３】
前記軸筒１及び鞘７内には、従来一般的に知られているチャック９及び芯タンク１０等からなる機構部が内蔵され、更に、先端に略円錐形の先部材１１が取り付けられるとともに、鞘７に設けられた頭冠１２の後端よりノブ１３が突出してノック式シャープペンシルが構成される。
【００１４】
上記ノック式シャープペンシルで筆記を行うために、軸筒１を挾持した時、前部材２の外鍔２Ａが軸筒１の先端エッジ部１Ａより突出しているので、指が先端エッジ部１Ａに接触する恐れはない。しかも、指は外鍔２Ａの傾斜面に接触するので、指に凹凸感が伝わらず、快適に把持することができる。また、ノック式シャープペンシルを床等に落下しても、前部材２の外鍔２Ａと金輪８の最大径部が床に当接するので、軸筒１は床に当接する恐れはなく、軸筒１が傷付けられたり破損する恐れはない。
【００１５】
更に、この実施例１の場合には、前部材２、軸筒１及び内軸３等の部材の寸法がばらついても、前部材２の外鍔２Ａと軸筒１の先端、及び軸筒１の後端と中部材５の外鍔５Ａの間に隙間が発生する恐れがなく、高級感が得られる筆記具が生産可能となる。
【実施例２】
【００１６】
以下、図３に基づいて本発明における実施例２の筆記具を説明する。尚、図１と同一部材は同一の符号を付してその説明を省略する。金属製の前部材１０２に外鍔１０２Ａを構成し、この外鍔１０２Ａ表面を長手方向後方に向かって太くなるような傾斜面に形成するとともに、その最頂部１０２Ｂを軸筒１の先端より太径に構成する。更に、前部材１０２の最頂部１０２Ｂを曲面に構成する。この前部材１０２の筒部１０２Ｃを、軸筒１内に内蔵された内軸１０３の前部にネジ接着して取り付け、軸筒１の先端エッジ部１Ａより前部材１０２の外鍔１０２Ａを外方に突出させる。さらに、内軸１０３の後部に中部材１０５をネジ接着して取り付け、前記前部材１０２の外鍔１０２Ａと中部材１０５の外鍔１０５Ａにより軸筒１を挾持する。
【００１７】
この実施例２の場合には、軸筒１の内面に内軸１０３が隙間なく内蔵されているので、軸筒１に物が当接しても軸筒１が破損しにくく構成できるものである。
【実施例３】
【００１８】
以下、図４及び図５に基づいて本発明における実施例３の筆記具を説明する。また、図１の左側を前方とし、右側を後方とする。先ず、ジルコニア等のセラミックを円筒状に形成して軸筒１を構成する。また、金属製の前部材２０２に外鍔２０２Ａを構成し、この外鍔２０２Ａの外径を、軸筒１の外径より小さく内径より大きく構成する。前記前部材２０２の筒部２０２Ｃを軸筒１の前部に嵌合し、前部材２０２の外鍔２０２Ａを軸筒１の前端面に当接する。更に、軸筒１内に内軸３を内蔵し、前部材２０２内に内軸３の前部を挿入するとともに、内軸３の前部に先金４をネジ接着して取り付ける。また、内軸３の後部に中部材５をネジ接着して取り付ける。この先金４の外鍔４Ａと中部材５の外鍔５Ａにより前部材２０２と軸筒１を挾持する。更に、クリップ６を設けた鞘７の前部に金輪８を固着し、この金輪８を中部材５に着脱可能に螺合する。また、金輪８の最大径は軸筒１より太径に構成する。
【００１９】
前記軸筒１及び鞘７内には、従来一般的に知られているチャック９及び芯タンク１０等からなる機構部が内蔵され、更に、先端に略円錐形の先部材１１１が取り付けられる。この先部材１１１の後端には軸筒１より太径の最頂部１１１Ａを構成し、この最頂部１１１Ａを曲面に構成する。この先部材１１１は、後端が軸筒１の先端に当接され、また、最頂部１１１Ａは軸筒１の先端エッジ部１Ａより外方に突出している。更に、前記鞘７に設けられた頭冠１２の後端よりノブ１３が突出してノック式シャープペンシルが構成される。
【００２０】
この実施例３の場合には、外鍔のような突部がなく、指に突部やエッジ部が当たらないので、使用者の指が傷付けられる恐れが全く生じないものである。
【００２１】
尚、本発明は上記実施例に限定されるものではなく、前部材や中部材は軸筒に圧入や接着により直接取り付けても良い。また、先部材、前部材、中部材、内軸、軸筒といった部材は複数の部材を固着して一体化することも可能である。
【００２２】
また、筆記具としては、ノック式シャープペンシルに限定されるものではなく、ボールペン、万年筆、サインペン等種々の筆記具に利用できるものである。
【産業上の利用可能性】
【００２３】
軸筒をセラミックで構成した筆記具において、軸筒の先端エッジ部に指が当たる心配がない筆記具に適用できる。
【図面の簡単な説明】
【００２４】
【図１】本発明の実施例１の筆記具を示す主要部断面図である。（実施例１）
【図２】本発明の実施例１の筆記具を示す断面図である。（実施例１）
【図３】本発明の実施例２の筆記具を示す主要部断面図である。（実施例２）
【図４】本発明の実施例３の筆記具を示す主要部断面図である。（実施例３）
【図５】本発明の実施例３の筆記具を示す断面図である。（実施例３）
【符号の説明】
【００２５】
１  軸筒
２  前部材
２Ａ  前部材２の外鍔
２Ｂ  前部材２の最頂部
３  内軸
５  中部材
１１  先部材
１０２  前部材
１０２Ａ  前部材１０２の外鍔
１０２Ｂ  前部材１０２の最頂部
１０３  内軸
１０５  中部材
１１１  先部材
１１１Ａ  先部材１１１の最頂部
２０２  前部材
２０２Ａ  前部材２０２の外鍔
【図１】
2009166343.tif 000003
【図２】
2009166343.tif 000004
【図３】
2009166343.tif 000005
【図４】
2009166343.tif 000006
【図５】
2009166343.tif 000007